(57)【特許請求の範囲】
【請求項１】
ストロボ光を発する閃光管；
この閃光管を接触させる略半円筒状の底部と、該底部から略面対称に延びる一対の反射面とを有するリフレクタ；及び
両端部が上記閃光管に掛け止められ、バンド本体がリフレクタの底部背面に位置して、該リフレクタの底部に該閃光管を押し付ける弾性材料からなる固定バンド；を有するストロボ装置において、
上記固定バンドは、そのバンド本体の両端部に、閃光管の端部を挿入する、自由状態における内径が閃光管の外径より小径の筒状部と、この筒状部を閉塞する閉塞壁と、この閉塞壁の略中央部に穿設した、閃光管の外径より小径の貫通穴とを有し、
上記閃光管の両端部はそれぞれ、この固定バンドの両端部の貫通穴に挿入されて閉塞壁を弾性変形させて筒状部内面に沿わせ、さらに筒状部に嵌合されていることを特徴とするストロボ装置。
【請求項２】
ストロボ光を発する閃光管；
この閃光管を接触させる略半円筒状の底部と、該底部から略面対称に延びる一対の反射面とを有するリフレクタ；及び
両端部が上記閃光管に掛け止められ、バンド本体がリフレクタの底部背面に位置して、該リフレクタの底部に該閃光管を押し付ける弾性材料からなる固定バンド；を有するストロボ装置において、
上記固定バンドは、そのバンド本体の両端部に、閃光管の端部を挿入する、自由状態における内径が閃光管の外径より小径の筒状部と、この筒状部を閉塞する閉塞壁とを有し、
上記閃光管の両端部はそれぞれ、この固定バンドの両端部の閉塞壁の略中央を破り該閉塞壁を弾性変形させて筒状部内面に沿わせ、さらに筒状部に嵌合されていることを特徴とするストロボ装置。
【請求項３】
請求項１または２記載のストロボ装置において、上記閉塞壁の肉厚は筒状部の肉厚より薄いストロボ装置。
【請求項４】
請求項２記載のストロボ装置において、上記閉塞壁の略中央には、薄肉凹部が形成されているストロボ装置。
【発明の詳細な説明】
【０００１】
【技術分野】
本発明は、カメラのストロボ装置に関し、特に閃光管の保持構造に関する。
【０００２】
【従来技術及びその問題点】
いわゆるバックメタルでトリガするストロボ装置として、ストロボ光を発する閃光管の外面にトリガ用の透明電極を施し、この閃光管を金属からなるリフレクタ（バックメタル）の断面略半円筒状の底部に接触させた状態で保持する装置が知られている。閃光管に放電電圧を印加した状態でリフレクタにトリガ電圧を与えると、閃光管が発光する。
【０００３】
このストロボ装置では従来、閃光管をリフレクタに保持するために、ゴム製の固定バンドが使用されている。固定バンドは、両端部に閃光管を挿通する貫通穴を有しており、リフレクタの底部背面に位置させた固定バンドを引っ張ってその両端の貫通穴を閃光管に嵌めることにより、閃光管をリフレクタの底部に密着状態で保持する。
【０００４】
しかしながらこの従来装置は、固定バンドの貫通穴が引っ張られるため、非円形に変形し、閃光管との間に空隙部が生じてしまう。すると、トリガ電圧をリフレクタに印加したとき、この空隙部からトリガ電圧のリークが生じて例えばリフレクタと閃光管の放電電極との間に電気が流れてしまい、一対の放電電極間での発光が不十分になる発光不良の原因になることがあった。この空隙部は従来、シリコンなどの別部品を用いて遮蔽しており、製造、組立コストの低下の妨げとなっている。
【０００５】
【発明の目的】
本発明は、従来品についての以上の問題意識に基づき、固定バンドの両端係止部と閃光管との間に、空隙部が生じることのないストロボ装置を得ることを目的とする。
【０００６】
【発明の概要】
本発明は、閃光管をリフレクタ底部に固定する固定バンドの形状を改良することにより、閃光管と固定バンドとの間に空隙が生じることがないようにしたものである。
すなわち、本発明のストロボ装置は、その一態様によると、ストロボ光を発する閃光管；この閃光管を接触させる略半円筒状の底部と、該底部から略面対称に延びる一対の反射面とを有するリフレクタ；及び両端部が上記閃光管に掛け止められ、バンド本体がリフレクタの底部背面に位置して、該リフレクタの底部に該閃光管を押し付ける弾性材料からなる固定バンド；を有するストロボ装置において、上記固定バンドは、そのバンド本体の両端部に、閃光管の端部を挿入する、自由状態における内径が閃光管の外径より小径の筒状部と、この筒状部を閉塞する閉塞壁と、この閉塞壁の略中央部に穿設した、閃光管の外径より小径の貫通穴とを有し、上記閃光管の両端部はそれぞれ、この固定バンドの両端部の貫通穴に挿入されて閉塞壁を弾性変形させて筒状部内面に沿わせ、さらに筒状部に嵌合されていることを特徴としている。
【０００７】
本発明のストロボ装置は、固定バンドの閉塞壁に予め貫通穴を穿けることなく、閃光管で閉塞壁を破る態様も可能である。すなわち、本発明のストロボ装置は、別の態様によると、ストロボ光を発する閃光管；この閃光管を接触させる略半円筒状の底部と、該底部から略面対称に延びる一対の反射面とを有するリフレクタ；及び両端部が上記閃光管に掛け止められ、バンド本体がリフレクタの底部背面に位置して、該リフレクタの底部に該閃光管を押し付ける弾性材料からなる固定バンド；を有するストロボ装置において、上記固定バンドは、そのバンド本体の両端部に、閃光管の端部を挿入する、自由状態における内径が閃光管の外径より小径の筒状部と、この筒状部を閉塞する閉塞壁とを有し、上記閃光管の両端部はそれぞれ、この固定バンドの両端部の閉塞壁の略中央を破り該閉塞壁を弾性変形させて筒状部内面に沿わせ、さらに筒状部に嵌合されていることを特徴としている。
【０００８】
閉塞壁を閃光管に密着させるため、該閉塞壁の肉厚は筒状部の肉厚より薄くすることが望ましい。また、閉塞壁に貫通穴を設けない態様では、該閉塞壁の略中央部に、閃光管の端部電極を刺す目安となる薄肉凹部を形成することが望ましい。
【０００９】
【発明の実施の形態】
図１は、閃光管１０をリフレクタ２０の略半円筒状の底部２１に配置した状態を示している。金属材料からなるリフレクタ２０は、底部２１の中心を通る平面に関し略面対称に延びる一対の反射面２２を有している。このリフレクタ２０の外面には、トリガ電極２３が溶接され、このトリガ電極２３及びリード線２４を介してリフレクタ２０にトリガパルス（高電圧）が与えられる。
【００１０】
閃光管１０は、その両端部に、放電電極１１を有し、また、その外面には、トリガ用の透明電極が施されている。固定バンド３０は、閃光管１０をリフレクタ２０の底部２１に固定すると同時に、閃光管１０の透明電極とリフレクタ２０の底部２１とを導通させるものである。
【００１１】
固定バンド３０は、ゴム、合成樹脂等の弾性を有する材料からなるもので、左右対称形状をしている。図２、図３は一方の形状を示すもので、リフレクタ２０の底部背面に位置するバンド本体３１の両端部にはそれぞれ、該バンド本体３１の延長方向（平面）に対して略直交する方向に延びる筒状部３２が形成されている。この筒状部３２の自由状態における内径ｄは、閃光管１０の外径Ｄと略同一またはこれより小さく設定されている。各筒状部３２内には、筒状部３２の軸線と直交する方向の閉塞壁３３が一体に形成されており、閉塞壁３３の中央部には、貫通穴３４が穿設されている。貫通穴３４の径ｓは、閃光管１０の外径Ｄより十分小径であり、また閉塞壁３３の肉厚ｔは、筒状部３２の肉厚Ｔより薄く、筒状部３２より変形が容易である。
【００１２】
以上の固定バンド３０を用いて閃光管１０をリフレクタ２０に固定するには、図１、図４に示すように、閃光管１０をリフレクタ２０の底部２１に接触させ、その両端部をリフレクタ２０から突出させる。この状態で、固定バンド３０の両端部の筒状部３２を閃光管１０の両端部に合致させ、閃光管１０をその放電電極１１から貫通穴３４に挿通する。すると、貫通穴３４の径ｓは閃光管１０の径Ｄより十分小さいため、閉塞壁３３は閃光管１０に沿って弾性変形する。さらに、閃光管１０を筒状部３２内に挿入すると、筒状部３２もまた、閃光管１０によって押し広げられ、閃光管１０の外面に密着する（図５、図６）。筒状部３２と閃光管１０とを十分に密着させるため、筒状部３２の自由状態における内径ｄは、閃光管１０の外径Ｄより若干小さく設定するのがよい。バンド本体３１は、その両端の筒状部３２を図５のように閃光管１０に係合させてリフレクタ２０の底部背面に沿わせた状態では引張力を発揮し、閃光管１０をリフレクタ２０の底部２１に密着させて固定するとともに、閃光管１０の外面の透明電極と金属製のリフレクタ２０とを導通させる。
【００１３】
以上のように、固定バンド３０により閃光管１０をリフレクタ２０に保持すると、閃光管１０の両端部外面には、まず弾性変形する閉塞壁３３が接触し、さらに、筒状部３２が接触するため、閃光管１０と筒状部３２との間に隙間が生じることがない。このとき、場合によっては閉塞壁３３に破断が生じてもよい。よって、リード線２４、トリガ電極２３を介してリフレクタ２０にトリガ電圧を与えたとき、この空隙部を介してトリガ電圧のリークが生じることがない。従って、一対の放電電極１１の間に、コンデンサに蓄電された高電圧を印加しておき、シャッタレリーズ信号に同期させてリフレクタ２０にトリガ電圧を与えたとき発光不良が生じるおそれがない。
【００１４】
別の実施形態では、図２に示す閉塞壁３３の貫通穴３４に代えて（貫通穴３４を形成することなく）、薄肉凹部を形成する。薄肉凹部は、閃光管１０の両端部の電極１１を突き刺して破るのを容易にするとともに、突き刺す際の目安とするもので、省略することも可能である。この実施形態でも、同様の作用効果を得ることができる。
【００１５】
【発明の効果】
本発明は、ストロボ光を発する閃光管をリフレクタの略半円筒状の底部に位置させ、この閃光管を、両端部が該閃光管に掛け止められ、バンド本体がリフレクタの底部背面に位置する固定バンドで固定するストロボ装置において、固定バンドの両端部に筒状部と閉塞壁（さらに場合によって貫通穴）を形成し、この筒状部に閃光管の端部を嵌めて閉塞壁を弾性変形させて筒状部内面に沿わせ、さらに筒状部に嵌合させたので、固定バンドと閃光管との間に空隙部が生じることがない。よって、トリガ電圧をリフレクタに印加したとき、空隙部からのトリガ電圧のリークを防止して発光不良を防ぐことができる。
【図面の簡単な説明】
【図１】本発明によるストロボ装置の一実施形態を示す固定バンドで閃光管を固定する前の状態を示す斜視図である。
【図２】固定バンドの一端部近傍の平面図である。
【図３】図２のIII−III線に沿った断面図である。
【図４】固定バンドの筒状部に閃光管を挿通する前の断面図である。
【図５】同挿通途中の断面図である。
【図６】同挿通完了状態の断面図である。
【符号の説明】
１０  閃光管
１１  放電電極
２０  リフレクタ
２１  底部
２２  反射面
２３  トリガ電極
２４  リード線
３０  固定バンド
３１  バンド本体
３２  筒状部
３３  閉塞壁
３４  貫通穴（薄肉凹部）
【図１】
0004414512.tif 000002
【図２】
0004414512.tif 000003
【図３】
0004414512.tif 000004
【図４】
0004414512.tif 000005
【図５】
0004414512.tif 000006
【図６】
0004414512.tif 000007